(57)【要約】【課題】簡易な構成で、検出範囲を変えることの可能なレンズおよびセンサ装置を提供する。【解決手段】本発明の一形態のレンズは、互いに可動に組み合わされた複数の光学部品を備えている。複数の光学部品のうちの少なくとも１つの光学部品は、当該レンズの光透過領域に、欠損の無いフレネルレンズである複数の第１凹凸構造、または、一部分に欠損を有するフレネルレンズである１または複数の第２凹凸構造を有している。【選択図】図１
2015148792.tif 000002
【特許請求の範囲】
【請求項１】
互いに可動に組み合わされた複数の光学部品を備えたレンズであって、
複数の前記光学部品のうちの少なくとも１つの前記光学部品は、当該レンズの光透過領域に、欠損の無いフレネルレンズである複数の第１凹凸構造、または、一部分に欠損を有するフレネルレンズである１または複数の第２凹凸構造を有する
レンズ。
【請求項２】
前記光透過領域に形成された凹凸のレイアウトが、前記第１凹凸構造または前記第２凹凸構造の形成された１または複数の前記光学部品を当該レンズの光軸と直交する面内において移動させたときに変化する
請求項１に記載のレンズ。
【請求項３】
前記第１凹凸構造または前記第２凹凸構造の形成された１つの前記光学部品は、開口を有する環状部品であり、
複数の前記光学部品のうち１つの前記光学部品は、前記開口に挿通された凸部を有する
請求項２に記載のレンズ。
【請求項４】
前記凸部は、フレネルレンズの中心部分の形状となっている
請求項３に記載のレンズ。
【請求項５】
前記第２凹凸構造の形成された１つの前記光学部品は、前記光透過領域内であって、かつ前記第２凹凸構造と非対向の位置に、平坦面もしくは凹凸の無い湾曲面を有し、
前記光透過領域は、１つのフレネルレンズにおいて環形状の凹凸を分断するような態様で前記平坦面もしくは前記湾曲面が形成された凹凸形状となっている
請求項２ないし請求項４のいずれか一項に記載のレンズ。
【請求項６】
前記第１凹凸構造の形成された１つの前記光学部品は、前記光透過領域内であって、かつ前記第１凹凸構造と非対向の位置に、平坦面もしくは凹凸の無い湾曲面を有し、
前記光透過領域は、複数のフレネルレンズの周囲に前記平坦面もしくは前記湾曲面が配置された凹凸形状を含んでいる
請求項２ないし請求項４のいずれか一項に記載のレンズ。
【請求項７】
各前記光学部品は、ブロック状となっており、
複数の前記光学部品は、行列状に配置されている
請求項２に記載のレンズ。
【請求項８】
単体の光学部品を備えたレンズであって、
前記光学部品は、当該レンズの光透過領域に、欠損の無いフレネルレンズである複数の第１凹凸構造、または、一部分に欠損を有するフレネルレンズである１または複数の第２凹凸構造を有する
レンズ。
【請求項９】
前記光透過領域に形成された凹凸のレイアウトが、完全回転対称とは異なるレイアウトになっている
請求項８に記載のレンズ。
【請求項１０】
前記光学部品は、前記光透過領域内であって、かつ前記第２凹凸構造と非対向の位置に、平坦面もしくは凹凸の無い湾曲面を有し、
前記光透過領域は、１つのフレネルレンズにおいて環形状の凹凸を分断するような態様で前記平坦面もしくは前記湾曲面が形成された凹凸形状となっている
請求項９に記載のレンズ。
【請求項１１】
前記光学部品は、前記光透過領域内であって、かつ前記第１凹凸構造と非対向の位置に、平坦面もしくは凹凸の無い湾曲面を有し、
前記光透過領域は、複数のフレネルレンズの周囲に前記平坦面もしくは前記湾曲面が配置された凹凸形状を含んでいる
請求項９に記載のレンズ。
【請求項１２】
互いに可動に組み合わされた複数の光学部品を有するレンズと、
前記レンズによって集光された光を電気信号に変換するセンサと
を備え、
複数の前記光学部品のうちの少なくとも１つの前記光学部品は、前記レンズの光透過領域に、欠損の無いフレネルレンズである複数の第１凹凸構造、または、一部分に欠損を有するフレネルレンズである１または複数の第２凹凸構造を有する
センサ装置。
【請求項１３】
単体の光学部品を有するレンズと、
前記レンズによって集光された光を電気信号に変換するセンサと
を備え、
前記光学部品は、当該レンズの光透過領域に、欠損の無いフレネルレンズである複数の第１凹凸構造、または、一部分に欠損を有するフレネルレンズである１または複数の第２凹凸構造を有する
センサ装置。
【請求項１４】
前記光透過領域に形成された凹凸の一部分に光入射を可能にする窓を有する遮光部をさらに備えた
請求項１２または請求項１３に記載のセンサ装置。
【請求項１５】
互いに可動に組み合わされた複数の光学部品を有するレンズと、
前記レンズに光を照射する光源と
を備え、
複数の前記光学部品のうちの少なくとも１つの前記光学部品は、前記レンズの光透過領域に、欠損の無いフレネルレンズである複数の第１凹凸構造、または、一部分に欠損を有するフレネルレンズである１または複数の第２凹凸構造を有する
照明装置。
【請求項１６】
単体の光学部品を有するレンズと、
前記レンズに光を照射する光源と
を備え、
前記光学部品は、前記レンズの光透過領域に、欠損の無いフレネルレンズである複数の第１凹凸構造、または、一部分に欠損を有するフレネルレンズである１または複数の第２凹凸構造を有する
照明装置。
【発明の詳細な説明】
【技術分野】
【０００１】
本発明は、検出範囲または照明範囲を変えることの可能なレンズならびにそれを備えたセンサ装置および照明装置に関する。
【背景技術】
【０００２】
人体を検知するセンサ装置としては、例えば、赤外線の熱エネルギーによって引き起こされる受光素子の温度変化を利用した熱型センサが知られている。焦電型赤外線センサは、熱型センサの１つであり、入射した赤外線エネルギーを受光素子面で熱に変換し、受光素子の焦電効果によって誘起された電荷を電気信号として出力する（特許文献１参照）。焦電型赤外線センサを備えたセンサ装置では、例えば、上記電気信号をオン・オフ信号にして、リレーが駆動される。
【０００３】
上記センサ装置では、赤外線エネルギーをより広範囲から集めるために、焦電型赤外線センサの入射面には、例えば、赤外線を集光するレンズが設けられる。そのようなレンズとして、例えば、フレネルレンズが挙げられる。フレネルレンズは、例えば、通常のレンズを同心円状の領域に分割し厚みを減らしたレンズであり、のこぎり状の断面を持つ。
【先行技術文献】
【特許文献】
【０００４】
【特許文献１】特開２０１３−０５０３５９号公報
【発明の概要】
【発明が解決しようとする課題】
【０００５】
上記センサ装置では、セキュリティや自動ドアなどの用途だけでなく、近年、省エネや介護の用途にまで、応用範囲が広がっている。在宅介護の用途では、上記センサ装置は、例えば、ベッドや、廊下、玄関など、各家庭の様々な場所に設置され得る。しかし、上記センサ装置の検出範囲は、通常、あらかじめ決められており、固定となっている。そのため、上記センサ装置の検出範囲が特段、配慮されることなく、上記センサ装置が設置された場合には、介護の必要な時にリレーが作動しない事態が生じ得る。
【０００６】
そこで、例えば、上記センサ装置を首振りさせる機構を設けたり、検出範囲の広いフレネルレンズを用いたりすることが考えられる。しかし、上記センサ装置を首振りさせる機構を設けた場合には、上記センサ装置が複雑かつ高価になってしまい、在宅介護の用途には適さないという問題がある。また、検出範囲の広いフレネルレンズを用いた場合には、検出してほしくない範囲で人が動いたときにでも、リレーが作動してしまうという問題がある。
【０００７】
なお、上記の問題は、在宅介護の用途以外の用途でも生じ得る問題である。
【０００８】
また、焦電型赤外線センサの代わりにＬＥＤなどの光源を用いた場合には、フレネルレンズを透過した光を照明光とする照明装置を実現することが可能となる。しかし、上記照明装置では、上記照明装置の照明範囲は、通常、あらかじめ決められており、固定となっている。そのため、照明範囲を変える場合には、上記照明装置を首振りさせる機構を設けたり、レンズを交換したりすることが必要となる。しかし、上記照明装置を首振りさせる機構を設けた場合には、上記照明装置が複雑かつ高価になってしまという問題がある。また、レンズを交換することを前提とした場合には、交換用のレンズを常備しておくことが必要となるので、交換用のレンズの分だけ、上記照明装置が高価になってしまう問題がある。
【０００９】
本発明はかかる問題点に鑑みてなされたもので、その目的は、簡易な構成で、検出範囲または照明範囲を変えることの可能なレンズならびにそれを備えたセンサ装置および照明装置を提供することにある。
【課題を解決するための手段】
【００１０】
本発明の第１のレンズは、互いに可動に組み合わされた複数の光学部品を備えている。複数の光学部品のうちの少なくとも１つの光学部品は、第１のレンズの光透過領域に、欠損の無いフレネルレンズである複数の第１凹凸構造、または、一部分に欠損を有するフレネルレンズである１または複数の第２凹凸構造を有している。
【００１１】
本発明の第１のセンサ装置は、レンズと、レンズによって集光された光を電気信号に変換するセンサとを備えている。本発明の第１のセンサ装置において、レンズは、上記の第１のレンズと同一の構成要素を有している。
【００１２】
本発明の第１の照明装置は、レンズと、レンズに光を照射する光源とを備えている。本発明の第１の照明装置において、レンズは、上記の第１のレンズと同一の構成要素を有している。
【００１３】
本発明の第１のレンズ、第１のセンサ装置および第１の照明装置では、互いに可動に組み合わされた複数の光学部品のうち少なくとも１つの光学部品に対して、欠損の無いフレネルレンズである複数の第１凹凸構造、または、一部分に欠損を有するフレネルレンズである１または複数の第２凹凸構造が設けられている。これにより、第１凹凸構造または第２凹凸構造の設けられた１または複数の光学部品を第１のレンズの光軸と直交する面内において移動させたときに、第１のレンズの光透過領域に形成された凹凸のレイアウトを変化させることが可能となる。ここで、第１のレンズを透過した光を検出するセンサ、または、第１のレンズに光を照射する光源を設けた場合には、第１のレンズの光透過領域に形成された凹凸のレイアウトの変化に伴って、センサの検出範囲または光源による照明範囲が変化する。なお、第１のレンズの光透過領域に形成された凹凸のレイアウトの変化に際して、レンズ交換をする必要がない。
【００１４】
本発明の第２のレンズは、単体の光学部品を備えている。光学部品は、第２のレンズの光透過領域に、欠損の無いフレネルレンズである複数の第１凹凸構造、または、一部分に欠損を有するフレネルレンズである１または複数の第２凹凸構造を有している。
【００１５】
本発明の第２のセンサ装置は、レンズと、レンズによって集光された光を電気信号に変換するセンサとを備えている。本発明の第２のセンサ装置において、レンズは、上記の第２のレンズと同一の構成要素を有している。
【００１６】
本発明の第２の照明装置は、レンズと、レンズに光を照射する光源とを備えている。本発明の第２の照明装置において、レンズは、上記の第２のレンズと同一の構成要素を有している。
【００１７】
本発明の第２のレンズ、第２のセンサ装置および第２の照明装置では、単体の光学部品を有するレンズに対して、欠損の無いフレネルレンズである複数の第１凹凸構造、または、一部分に欠損を有するフレネルレンズである１または複数の第２凹凸構造が設けられている。これにより、単体の光学部品を第２のレンズの光軸と直交する面内において回転させたときに、第２のレンズの光透過領域に形成された凹凸のレイアウトを変化させることが可能となる。ここで、第２のレンズを透過した光を検出するセンサ、または、第２のレンズに光を照射する光源を設けた場合には、第２のレンズの光透過領域に形成された凹凸のレイアウトの変化に伴って、センサの検出範囲または光源による照明範囲が変化する。なお、第２のレンズの光透過領域に形成された凹凸のレイアウトの変化に際して、レンズ交換をする必要がない。
【発明の効果】
【００１８】
本発明の第１のレンズ、第１のセンサ装置および第１の照明装置によれば、第１凹凸構造または第２凹凸構造の設けられた１または複数の光学部品を第１のレンズの光軸と直交する面内において移動させたときに、第１のレンズの光透過領域に形成された凹凸のレイアウトを変化させることができるようにしたので、簡易な構成で、検出範囲または照明範囲を変えることができる。
【００１９】
本発明の第２のレンズ、第２のセンサ装置および第２の照明装置によれば、単体の光学部品を第２のレンズの光軸と直交する面内において回転させたときに、第２のレンズの光透過領域に形成された凹凸のレイアウトを変化させることができるようにしたので、簡易な構成で、検出範囲または照明範囲を変えることができる。
【図面の簡単な説明】
【００２０】
【図１】本発明の第１の実施の形態に係るレンズの斜視構成の一例を表す図である。
【図２Ａ】図１のレンズのＡ−Ａ’線における断面構成の一例を表す図である。
【図２Ｂ】図１のレンズのＢ−Ｂ’線における断面構成の一例を表す図である。
【図３】図１のレンズの作用の一例を表す図である。
【図４】図１のレンズの作用の一例を表す図である。
【図５】図１のレンズの作用の一例を表す図である。
【図６】図１のレンズの作用の一例を表す図である。
【図７】図１のレンズの作用の一例を表す図である。
【図８】図１のレンズの作用の一例を表す図である。
【図９】図１のレンズの作用の一例を表す図である。
【図１０】図１のレンズの作用の一例を表す図である。
【図１１】図１のレンズの一変形例を表す図である。
【図１２】本発明の第２の実施の形態に係るレンズの斜視構成の一例を表す図である。
【図１３Ａ】図１、図１１、図１２のレンズの一変形例を表す図である。
【図１３Ｂ】図１、図１１、図１２のレンズの一変形例を表す図である。
【図１３Ｃ】図１、図１１、図１２のレンズの一変形例を表す図である。
【図１３Ｄ】図１、図１１、図１２のレンズの一変形例を表す図である。
【図１４Ａ】図１３Ａのレンズの一変形例を表す図である。
【図１４Ｂ】図１３Ｂのレンズの一変形例を表す図である。
【図１４Ｃ】図１３Ｃのレンズの一変形例を表す図である。
【図１５Ａ】図１４Ａ、図１４Ｂ、図１４ＣのレンズのＡ−Ａ’線における断面構成の一例を表す図である。
【図１５Ｂ】図１４Ａ、図１４Ｂ、図１４ＣのレンズのＡ−Ａ’線における断面構成の一例を表す図である。
【図１６】図１４Ａ、図１４Ｂ、図１４ＣのレンズのＡ−Ａ’線における断面構成の一例を表す図である。
【図１７】本発明の第３の実施の形態に係るレンズの斜視構成の一例を表す図である。
【図１８】図１７のレンズの作用の一例を表す図である。
【図１９】図１７のレンズの作用の一例を表す図である。
【図２０】図１７のレンズの作用の一例を表す図である。
【図２１】図１７のレンズの作用の一例を表す図である。
【図２２Ａ】図１７のレンズの一変形例を表す図である。
【図２２Ｂ】図１７のレンズの一変形例を表す図である。
【図２３】本発明の第４の実施の形態に係るセンサ装置の機能ブロックの一例を表す図である。
【図２４】本発明の第５の実施の形態に係る照明装置の機能ブロックの一例を表す図である。
【図２５】図２３、図２４のレンズに装着される遮光部の斜視構成の一例を表す図である。
【図２６Ａ】遮光部の窓をスライドさせたときの、レンズと遮光部の窓との位置関係の一例を表す図である。
【図２６Ｂ】遮光部の窓をスライドさせたときの、レンズと遮光部の窓との位置関係の一例を表す図である。
【図２６Ｃ】遮光部の窓をスライドさせたときの、レンズと遮光部の窓との位置関係の一例を表す図である。
【図２６Ｄ】遮光部の窓をスライドさせたときの、レンズと遮光部の窓との位置関係の一例を表す図である。
【図２７】偏心フレネルレンズの一例を表す図である。
【発明を実施するための形態】
【００２１】
以下、発明を実施するための形態について、図面を参照して詳細に説明する。なお、説明は以下の順序で行う。
１．第１の実施の形態
レンズを積層型の複合レンズで構成した例（図１〜図１０）
２．第１の実施の形態の変形例
凸部の上面を平坦面で構成した例（図１１）
３．第２の実施の形態
レンズを単体レンズで構成した例（図１２）
４．第１および第２の実施の形態の変形例
レンズ上面のレイアウトのバリエーション（図１３、図２７）
遮光部材を設けた例（図１４〜図１６）
５．第３の実施の形態
レンズを行列型の複合レンズで構成した例（図１７〜図２１）
６．第３の実施の形態の変形例
遮光部材を設けた例（図２２）
７．第４の実施の形態
上記第１〜第３の実施の形態およびそれらの変形例のレンズを
センサ装置に用いた例（図２３）
８．第５の実施の形態
上記第１〜第３の実施の形態およびそれらの変形例のレンズを
照明装置に用いた例（図２４）
９．第４および第５の実施の形態の変形例
センサ装置または照明装置に搭載したレンズに
遮光部を設けた例（図２５、図２６）
【００２２】
＜１．第１の実施の形態＞
[構成]
図１は、本発明の第１の実施の形態に係るレンズ１の斜視構成の一例を表したものである。図２Ａは、図１のレンズ１のＡ−Ａ'線における断面構成の一例を表したものである。図２Ｂは、図１のレンズ１のＢ−Ｂ'線における断面構成の一例を表したものである。Ａ−Ａ'線とＢ−Ｂ'線とは、互いに直交している。
【００２３】
レンズ１は、複合レンズであり、互いに可動に組み合わされた板状の２つの光学部品１０，２０を備えている。レンズ１（具体的には光学部品１０，２０）は、例えば、平板形状となっている。光学部品１０，２０は、レンズ１の光透過領域に形成されている。光学部品１０，２０は、互いに固定されておらず、互いに可動な状態で、重ね合わされている。具体的には、光学部品１０と光学部品２０とは、互いに固定されずに接している。さらに、光学部品１０，２０は、それぞれ単独で、レンズ１の光軸ＡＸ（図２Ａ参照）と直交する面内においてスライド可能になっている。
【００２４】
光学部品２０は、中心部分に開口２０Ａを有する環状部品である。光学部品１０は、開口２０Ａに挿通された凸部１０Ａと、凸部１０Ａおよび光学部品２０を支持する支持板１０Ｂとを有している。凸部１０Ａは、レンズ１の光軸ＡＸと直交する面内における光学部品２０の動きを規制している。光学部品２０は、凸部１０Ａの中心軸を回転軸として、レンズ１の光軸ＡＸと直交する面内において回動可能となっている。同様に、開口２０Ａは、レンズ１の光軸ＡＸと直交する面内における光学部品１０の動きを規制している。光学部品１０は、開口２０Ａの中心軸を回転軸として、レンズ１の光軸ＡＸと直交する面内において回動可能となっている。
【００２５】
光学部品１０（または凸部１０Ａ）の中心軸と、光学部品２０（または開口２０Ａ）の中心軸とは、互いに重なり合っている。従って、レンズ１の光軸ＡＸは、光学部品１０，２０の中心軸と重なり合っている。レンズ１は、利用する光の波長帯において光の吸収が少ない材料で構成されていることが好ましい。利用する光が赤外光の場合、レンズ１は、赤外光の吸収が少ない材料で構成されている。赤外光の吸収が少ない材料としては、例えば、Ｇｅ、Ｓｉ、Ａｌ2Ｏ3、ＣａＦ2、ポリエチレン系樹脂などが挙げられる。利用する光が可視光の場合、レンズ１は、可視光の吸収が少ない材料で構成されている。
【００２６】
光学部品１０は、上述したように、凸部１０Ａおよび支持板１０Ｂを有している。凸部１０Ａおよび支持板１０Ｂは、互いに一体に形成されている。凸部１０Ａは、光学部品１０において、面内の中心部分に形成されている。凸部１０Ａは、凸部１０Ａを光学部品１０の法線方向から見たときに、例えば、円形状となっている。支持板１０Ｂは、凸部１０Ａの周縁に形成されており、支持板１０Ｂを光学部品１０の法線方向から見たときに、例えば、環形状となっている。支持板１０Ｂの上面（すなわち、光学部品２０に接する面）は、例えば、平坦面となっている。
【００２７】
凸部１０Ａは、光学部品１０の上面に形成されており、支持板１０Ｂの上面と比べて突出している。凸部１０Ａは、集光機能を有していることが好ましい。この場合に、凸部１０Ａは、例えば、同心円状のフレネルレンズの中心部分の形状となっている。同心円状のフレネルレンズは、通常のレンズを同心円状の領域に分割し厚みを減らしたレンズであり、のこぎり状の断面を持つ。なお、凸部１０Ａが同心円状のフレネルレンズの中心部分の形状となっている場合、凸部１０Ａが本技術の「第２凹凸構造」の一具体例に相当する。凸部１０Ａの断面形状は、例えば、中央部分にピークが存在するかまぼこ状となっていてもよいし（図２Ａ、図２Ｂ参照）、例えば、上記かまぼこ状の断面の左右両端がのこぎり状となっていてもよい。光学部品１０の裏面は、例えば、平坦面となっている。
【００２８】
光学部品２０は、上述したように、中心部分に開口２０Ａを有しており、光学部品２０を光学部品２０の法線方向から見たときに、環形状となっている。光学部品２０において、レンズ１の光透過領域に形成された上面の凹凸のレイアウトが、完全回転対称とは異なるレイアウトになっている。完全回転対称とは、光学部品２０を、光学部品２０の中心軸を回転軸として回転させたときに、上面の凹凸のレイアウトが変化しないことを指している。つまり、光学部品２０を、光学部品２０の中心軸を回転軸として回転させたときに、光学部品２０において、上面の凹凸のレイアウトが変化する。光学部品２０の上面の凹凸のレイアウトは、例えば、２回回転対称となっている。
【００２９】
光学部品２０は、上面に、１または複数の凹凸構造２０Ｂと、１または複数の平坦面２０Ｃとを有している。つまり、光学部品２０は、光学部品１０と同様、上面に立体構造を有している。平坦面２０Ｃは、光学部品２０を光学部品２０の法線方向から見たときに、凹凸構造２０Ｂと非対向の位置に配置されている。光学部品２０の裏面は、例えば、平坦面となっている。レンズ１は、互いに対向する光入射面１Ａおよび光出射面１Ｂを有している（図３、図４参照）。各光学部品１０，２０についても、互いに対向する光入射面および光出射面を有している。凸部１０Ａ、凹凸構造２０Ｂおよび平坦面２０Ｃは、ともに、光入射面１Ａに配置されていてもよいし、光出射面１Ｂに配置されていてもよい。
【００３０】
凹凸構造２０Ｂは、同心円状のフレネルレンズの一部分の形状となっている。従って、凹凸構造２０Ｂは、本技術の「第２凹凸構造」の一具体例に相当する。具体的には、凹凸構造２０Ｂは、同心円状のフレネルレンズにおいて、中心部分を除いた部分の一部分の形状となっている。ここで、「同心円状のフレネルレンズにおいて、中心部分を除いた部分の一部分の形状」とは、１つの同心円状のフレネルレンズにおいて、フレネルレンズの中心部分が欠損もしくは完全に欠落し、かつ環形状の凹凸部分が欠損している形状を指している。凸部１０Ａが、同心円状のフレネルレンズの中心部分の形状となっている場合には、レンズ１の上面（つまりレンズ１の光透過領域）は、１つの同心円状のフレネルレンズにおいて環形状の凹凸を分断するような態様で平坦面２０Ｃが形成された凹凸形状になっている。このとき、凸部１０Ａおよび凹凸構造２０Ｂは、例えば、互いに共通の面（集光面Ｓ）内に集光する。なお、凸部１０Ａおよび凹凸構造２０Ｂが、互いに異なる面内に集光してもよい。
【００３１】
光学部品２０の上面には、例えば、２つの凹凸構造２０Ｂが、凸部１０Ａを介して互いに対向配置されるとともに、２つの平坦面２０Ｃが、凸部１０Ａを介して互いに対向配置されている。このとき、２つの凹凸構造２０Ｂの対向方向と、２つの平坦面２０Ｃの対向方向とが、互いに直交しており、凹凸構造２０Ｂおよび平坦面２０Ｃが光学部品２０の円弧方向において交互に配置されている。この場合には、レンズ１の上面の凹凸のレイアウトが、２回回転対称となっている。
【００３２】
凹凸構造２０Ｂと平坦面２０Ｃとの境界線Ｌｂ１は、例えば、レンズ１の中心から半径方向に真っ直ぐに放射状に延在する放射線と平行な方向もしくはその放射線と交差する方向に延在する直線状または階段状の線分となっている。１つの平坦面２０Ｃには、２つの境界線Ｌｂ１が存在する。これら２つの境界線Ｌｂ１は、互いに平行となっていてもよいし、互いに交差する方向に延在していてもよい。なお、図１には、これら２つの境界線Ｌｂ１が、互いに平行となっている場合が例示されている。
【００３３】
光学部品２０は、例えば、光学部品２０の側面に、つば２０Ｄを有している。つば２０Ｄは、当該光学部品２０を回動させる際に使用されるものであり、例えば、棒状となっている。ユーザが、つば２０Ｄを指でつまみ、左右方向に変位させると、その変位量に応じて、光学部品２０が回転し、それにより、光学部品２０の上面の凹凸のレイアウトが変化する。レンズ１の上面の凹凸のレイアウトが、上述の２回回転対称となっている場合には、ユーザが、つば２０Ｄを９０度回転させることにより、つば２０Ｄを回転させる前と比べて、凹凸構造２０Ｂと平坦面２０Ｃとの位置関係が入れ替わる。
【００３４】
[作用・効果] 
次に、本実施の形態のレンズ１の作用・効果について説明する。
【００３５】
図３、図４、図５、図６は、レンズ１の作用の一例を表したものである。図３、図５には、凸部１０Ａ、凹凸構造２０Ｂおよび平坦面２０Ｃが光入射面１Ａに配置されているときに、光入射面１Ａに光Ｌが入射したときのレンズ１の作用の一例が示されている。つまり、図３、図５では、レンズ１の上面が光入射面１Ａとなっており、レンズ１の裏面が光出射面１Ｂとなっている。光Ｌは、例えば、赤外光または可視光である。図４、図６には、凸部１０Ａ、凹凸構造２０Ｂおよび平坦面２０Ｃが光出射面１Ｂに配置されているときに、光入射面１Ａに光Ｌが入射したときのレンズ１の作用の一例が示されている。つまり、図４、図６では、レンズ１の上面が光出射面１Ｂとなっており、レンズ１の裏面が光入射面１Ａとなっている。図３、図４には、凸部１０Ａと、凸部１０Ａの両脇に設けられた凹凸構造２０Ｂとに光Ｌが入射している様子が例示されている。図５、図６には、凸部１０Ａと、凸部１０Ａの両脇に設けられた平坦面２０Ｃとに光Ｌが入射している様子が例示されている。図３、図４、図５、図６において、凸部１０Ａは、同心円状のフレネルレンズの中心部分の形状となっている。
【００３６】
レンズ１に入射した光Ｌは、凸部１０Ａおよび凹凸構造２０Ｂによって、例えば、互いに共通の面（集光面Ｓ）内に集光される。凸部１０Ａの焦点Ｆ１と、凹凸構造２０Ｂの焦点Ｆ２とは、例えば、互いに概ね重なり合っている。一方、平坦面２０Ｃに入射した光Ｌは、集光されることなく、平坦面２０Ｃおよび支持板１０Ｂを透過する。焦点Ｆ１，Ｆ２の位置に光検出素子（例えば、赤外光検出素子または可視光検出素子）を配置した場合には、光検出素子は、凸部１０Ａまたは凹凸構造２０Ｂを透過した光Ｌを検出する。さらに、光検出素子が、平坦面２０Ｃおよび支持板１０Ｂを透過した光Ｌが入射しない位置に配置されている場合には、光検出素子は、平坦面２０Ｃおよび支持板１０Ｂを透過した光Ｌを検出しない。その結果、凸部１０Ａまたは凹凸構造２０Ｂに入射する光を発し得る領域（第１領域）と、凸部１０Ａまたは平坦面２０Ｃに入射する光を発し得る領域（第２領域）とで、光検出素子による検出力に差異が生じる。
【００３７】
例えば、つば２０Ｄを左右にスライドさせることにより、光学部品２０をレンズ１の光軸ＡＸと直交する面内において移動（回動）させた場合には、光学部品２０を移動（回動）させた分だけ、レンズ１の光透過領域に形成された凹凸のレイアウトが変化する。その結果、上記第１領域および上記第２領域の位置が変位する。このように、レンズ１では、例えば、つば２０Ｄを左右にスライドさせるだけで、上記第１領域および上記第２領域の位置を変えることができる。なお、レンズ１の光透過領域に形成された凹凸のレイアウトを変化させる際に、レンズ交換をする必要はない。従って、簡易な構成で、光検出素子による検出範囲を変えることができる。
【００３８】
図７、図８、図９、図１０は、レンズ１の作用の一例を表したものである。図７、図９には、凸部１０Ａ、凹凸構造２０Ｂおよび平坦面２０Ｃが光出射面１Ｂに配置されているときに、焦点Ｆ１，Ｆ２の位置に配置した光源ＬＳから、レンズ１の光入射面１Ａに光を照射したときのレンズ１の作用の一例が示されている。つまり、図７、図９では、レンズ１の上面が光出射面１Ｂとなっており、レンズ１の裏面が光入射面１Ａとなっている。図８、図１０には、凸部１０Ａ、凹凸構造２０Ｂおよび平坦面２０Ｃが光入射面１Ａに配置されているときに、焦点Ｆ１，Ｆ２の位置に配置した光源ＬＳから、レンズ１の光入射面１Ａに光を照射したときのレンズ１の作用の一例が示されている。つまり、図８、図１０では、レンズ１の上面が光入射面１Ａとなっており、レンズ１の裏面が光出射面１Ｂとなっている。図７、図８には、凸部１０Ａと、凸部１０Ａの両脇に設けられた凹凸構造２０Ｂとに光Ｌが入射している様子が例示されている。図９、図１０には、凸部１０Ａと、凸部１０Ａの両脇に設けられた平坦面２０Ｃとに光Ｌが入射している様子が例示されている。図７、図８、図９、図１０において、凸部１０Ａは、同心円状のフレネルレンズの中心部分の形状となっている。
【００３９】
また、凸部１０Ａおよび凹凸構造２０Ｂは、例えば、光源ＬＳから入射してきた拡散光の発散角を絞ったり、または、光源ＬＳから入射してきた拡散光を平行光化したりする。一方、平坦面２０Ｃおよび支持板１０Ｂに入射した光は、集光されることなく、平坦面２０Ｃおよび支持板１０Ｂを透過する。レンズ１を透過した光Ｌが進行する位置にスクリーンを配置した場合には、例えば、凸部１０Ａまたは凹凸構造２０Ｂを透過した光Ｌがスクリーンを照明する領域（第３領域）と、凸部１０Ａまたは平坦面２０Ｃを透過した光Ｌがスクリーンを照明する領域（第４領域）とで、光源ＬＳによる照明範囲（更には照度）に差異が生じる。
【００４０】
例えば、つば２０Ｄを左右にスライドさせることにより、光学部品２０をレンズ１の光軸ＡＸと直交する面内において移動（回動）させた場合には、光学部品２０を移動（回動）させた分だけ、レンズ１の光透過領域に形成された凹凸のレイアウトが変化する。その結果、上記第３領域および上記第４領域の位置が変位する。このように、レンズ１では、例えば、つば２０Ｄを左右にスライドさせるだけで、上記第３領域および上記第４領域の位置を変えることができる。なお、レンズ１の光透過領域に形成された凹凸のレイアウトを変化させる際に、レンズ交換をする必要はない。従って、簡易な構成で、光源ＬＳによる照明範囲を変えることができる。
【００４１】
＜２．第１の実施の形態の変形例＞
次に、上記実施の形態のレンズ１の変形例について説明する。なお、以下では、上記実施の形態のレンズ１と共通する構成要素に対しては、同一の符号が付与される。さらに、上記実施の形態のレンズ１と共通する構成要素についての説明は、適宜、省略されるものとする。
【００４２】
[変形例その１] 
上記実施の形態において、凸部１０Ａが、同心円状のフレネルレンズの中心部分の形状とは異なる形状となっていてもよく、例えば、集光機能を有しない形状となっていてもよい。例えば、図１１に示したように、凸部１０Ａの上面が平坦面となっていてもよい。このようにした場合であっても、光学部品２０の上面に形成された凹凸のレイアウトが、完全回転対称とは異なるレイアウトになっている。そのため、光学部品２０を、光学部品２０の中心軸を回転軸として回転させたときに、光学部品２０において、上面の凹凸のレイアウトが変化する。従って、上記実施の形態と同様、簡易な構成で、光検出素子による検出範囲または光源ＬＳによる照明範囲を変えることができる。
【００４３】
[変形例その２] 
上記実施の形態およびその変形例（変形例その１）では、光学部品１０が、支持板１０Ｂを有していたが、例えば、支持板１０Ｂが省略されていてもよい。このようにした場合には、光学部品２０が、例えば、光学部品１０とは異なる部品（例えばレンズ１を用いたデバイスの筐体）によって支持されている。
【００４４】
＜３．第２の実施の形態＞
[構成] 
図１２は、本発明の第２の実施の形態に係るレンズ２の斜視構成の一例を表したものである。レンズ２は、単体レンズであり、板状の単体の光学部品３０を備えている。レンズ２（具体的には光学部品３０）は、例えば、平板形状となっている。光学部品３０は、レンズ２の光透過領域に形成されている。レンズ２は、利用する光の波長帯において光の吸収が少ない材料で構成されていることが好ましい。利用する光が赤外光の場合、レンズ２は、赤外光の吸収が少ない材料で構成されている。赤外光の吸収が少ない材料としては、例えば、Ｇｅ、Ｓｉ、Ａｌ2Ｏ3、ＣａＦ2、ポリエチレン系樹脂などが挙げられる。利用する光が可視光の場合、レンズ２は、可視光の吸収が少ない材料で構成されている。
【００４５】
光学部品３０において、レンズ２の光透過領域に形成された上面の凹凸のレイアウトが、完全回転対称とは異なるレイアウトになっている。完全回転対称とは、光学部品３０を、光学部品３０の中心軸を回転軸として回転させたときに、上面の凹凸のレイアウトが変化しないことを指している。つまり、光学部品３０を、光学部品３０の中心軸を回転軸として回転させたときに、光学部品３０において、上面の凹凸のレイアウトが変化する。光学部品３０の上面の凹凸のレイアウトは、例えば、２回回転対称となっている。
【００４６】
光学部品３０は、上面に、１または複数の凹凸構造３０Ａと、１または複数の平坦面３０Ｂとを有している。平坦面３０Ｂは、光学部品３０を光学部品３０の法線方向から見たときに、凹凸構造３０Ａと非対向の位置に配置されている。光学部品３０は、互いに対向する光入射面および光出射面を有している。凹凸構造３０Ａおよび平坦面３０Ｂが、ともに、光入射面に配置されていてもよいし、光出射面に配置されていてもよい。凹凸構造３０Ａは、同心円状のフレネルレンズの一部分の形状となっている。従って、凹凸構造３０Ａは、本技術の「第２凹凸構造」の一具体例に相当する。
【００４７】
凹凸構造３０Ａにおいて、光学部品３０の中心部分 (レンズ２の中心部分)は、例えば、同心円状のフレネルレンズの中心部分の形状となっている。また、凹凸構造３０Ａにおいて、光学部品３０の外縁部分 (レンズ２の外縁部分)は、同心円状のフレネルレンズの一部分の形状となっている。光学部品３０の中心部分が同心円状のフレネルレンズの中心部分の形状となっている場合、凹凸構造３０Ａ（つまりレンズ２の光透過領域）は、同心円状のフレネルレンズにおいて、外縁の一部を除いた形状となっている。ここで、「同心円状のフレネルレンズにおいて、外縁の一部を除いた形状」とは、同心円状のフレネルレンズにおいて、環形状の凹凸部分が欠損している形状を指している。光学部品３０の中心部分 (レンズ２の中心部分)が、同心円状のフレネルレンズの中心部分の形状となっている場合には、レンズ２の上面（つまりレンズ２の光透過領域）は、１つの同心円状のフレネルレンズにおいて環形状の凹凸を分断するような態様で平坦面３０Ｂが形成された凹凸形状になっている。このとき、凹凸構造３０Ａにおいて、光学部品３０の中心部分と、光学部品３０の外縁部分とは、例えば、互いに共通の面（集光面Ｓ）内に集光する。なお、凹凸構造３０Ａにおいて、光学部品３０の中心部分と、光学部品３０の外縁部分とが、互いに異なる面内に集光してもよい。
【００４８】
光学部品３０の上面には、例えば、２つの平坦面２０Ｃが、フレネルレンズの中心部分を介して互いに対向配置されている。このとき、レンズ２の上面の凹凸のレイアウトは、２回回転対称となっている。
【００４９】
凹凸構造３０Ａと平坦面３０Ｂとの境界線Ｌｂ２は、例えば、レンズ２の中心から半径方向に真っ直ぐに放射状に延在する放射線と平行な方向もしくは放射線と交差する方向に延在する直線状または階段状の線分となっている。１つの平坦面３０Ｂには、２つの境界線Ｌｂ１が存在する。これら２つの境界線Ｌｂ１は、互いに平行となっていてもよいし、互いに交差する方向に延在していてもよい。なお、図１２には、これら２つの境界線Ｌｂ１が、互いに平行となっている場合が例示されている。
【００５０】
光学部品３０は、例えば、光学部品３０の側面に、つば３０Ｃを有している。つば３０Ｃは、当該光学部品３０を回動させる際に使用されるものであり、例えば、棒状となっている。ユーザが、つば３０Ｃを指でつまみ、左右方向に変位させると、その変位量に応じて、光学部品３０が回転し、それにより、光学部品３０の上面の凹凸のレイアウトが変化する。レンズ２の上面の凹凸のレイアウトが、上述の２回回転対称となっている場合には、ユーザが、つば３０Ｃを９０度回転させることにより、つば３０Ｃを回転させる前と比べて、２つの平坦面２０Ｃの対向方向が９０度回転する。
【００５１】
[作用・効果] 
次に、本実施の形態のレンズ２の作用・効果について説明する。
【００５２】
レンズ２に入射した光は、凹凸構造３０Ａによって、例えば、所定の面（集光面Ｓ）内に集光される。一方、平坦面３０Ｂに入射した光は、集光されることなく、平坦面３０Ｂを透過する。凹凸構造３０Ａの焦点の位置に光検出素子を配置した場合には、光検出素子は、凹凸構造３０Ａを透過した光を検出する。さらに、光検出素子が、平坦面３０Ｂを透過した光が入射しない位置に配置されている場合には、光検出素子は、平坦面３０Ｂを透過した光を検出しない。その結果、凹凸構造３０Ａに入射する光を発し得る領域（第５領域）と、光学部品３０の中心部分と、平坦面３０Ｂとに入射する光を発し得る領域（第６領域）とで、光検出素子による検出力に差異が生じる。
【００５３】
例えば、つば３０Ｃを左右にスライドさせることにより、光学部品３０をレンズ２の光軸と直交する面内において移動（回動）させた場合には、光学部品３０を移動（回動）させた分だけ、レンズ２の光透過領域に形成された凹凸のレイアウトが変化する。その結果、上記第５領域および上記第５領域の位置が変位する。このように、レンズ２では、例えば、つば３０Ｃを左右にスライドさせるだけで、上記第５領域および上記第６領域の位置を変えることができる。なお、レンズ２の光透過領域に形成された凹凸のレイアウトを変化させる際に、レンズ交換をする必要はない。従って、簡易な構成で、光検出素子による検出範囲を変えることができる。
【００５４】
また、凸部１０Ａおよび凹凸構造２０Ｂは、例えば、光源ＬＳから入射してきた拡散光の発散角を絞ったり、または、光源ＬＳから入射してきた拡散光を平行光化したりする。光学部品３０の中央部分が同心円状のフレネルレンズの一部分の形状となっている場合、光学部品３０の中央部分の焦点と、凹凸構造３０Ａの焦点とは、例えば、互いに概ね重なり合っている。一方、平坦面３０Ｂに入射した光Ｌは、集光されることなく、平坦面３０Ｂを透過する。レンズ２を透過した光が進行する位置にスクリーンを配置した場合には、例えば、凹凸構造３０Ａを透過した光がスクリーンを照明する領域（第７領域）と、光学部品３０の中央部分と、平坦面３０Ｂとを透過した光がスクリーンを照明する領域（第８領域）とで、光源ＬＳによる照明範囲（更には照度）に差異が生じる。
【００５５】
例えば、つば３０Ｃを左右にスライドさせることにより、光学部品３０をレンズ２の光軸と直交する面内において移動（回動）させた場合には、光学部品３０を移動（回動）させた分だけ、レンズ２の光透過領域に形成された凹凸のレイアウトが変化する。その結果、上記第７領域および上記第８領域の位置が変位する。このように、レンズ２では、例えば、つば３０Ｃを左右にスライドさせるだけで、上記第７領域および上記第８領域の位置を変えることができる。なお、レンズ２の光透過領域に形成された凹凸のレイアウトを変化させる際に、レンズ交換をする必要はない。従って、簡易な構成で、光源ＬＳによる照明範囲を変えることができる。
【００５６】
＜４．第１および第２の実施の形態の変形例＞
次に、第１および第２の実施の形態のレンズ１，２の変形例について説明する。なお、以下では、第１および第２の実施の形態のレンズ１，２と共通する構成要素に対しては、同一の符号が付与される。さらに、第１および第２の実施の形態のレンズ１，２と共通する構成要素についての説明は、適宜、省略されるものとする。
【００５７】
[変形例その１] 
上記第１の実施の形態およびその変形例では、例えば、図１３Ａに示したように、レンズ機能を有していない各平坦面２０Ｃにおける２つの境界線Ｌｂ１が、互いに平行となっている場合が例示されていた。また、上記第２の実施の形態およびその変形例でも、例えば、図１３Ａに示したように、レンズ機能を有していない各平坦面３０Ｂにおける２つの境界線Ｌｂ２が、互いに平行となっている場合が例示されていた。
【００５８】
しかし、例えば、図１３Ｂに示したように、各境界線Ｌｂ１，Ｌｂ２が、レンズ１，２の中心から半径方向に真っ直ぐに放射状に伸びる放射線と平行な線分となっていてもよい。このとき、各境界線Ｌｂ１，Ｌｂ２が、直線状となっていてもよいし、階段状となっていてもよい。また、例えば、図１３Ｃに示したように、各境界線Ｌｂ１，Ｌｂ２が、レンズ１，２の中心から渦状に放射した放射線と平行な線分となっていてもよい。このとき、各境界線Ｌｂ１，Ｌｂ２が、直線状となっていてもよいし、階段状となっていてもよい。
【００５９】
本変形例において、例えば、後述する遮光部９０（図２５参照）でレンズ１，２を覆った状態で光学部品２０，３０を回動させたときに、窓９０Ａ（図２５参照）の枠と、各境界線Ｌｂ１，Ｌｂ２とが互いに斜めに交差する。これにより、光学部品２０，３０を徐々に回動させたときに、窓９０Ａから見える領域において、凹凸構造２０Ｂ，３０Ａの占める割合を連続的に変化させることができる。その結果、光検出素子による検出範囲または光源ＬＳによる照明範囲を微調整することができる。
【００６０】
[変形例その２] 
上記第１の実施の形態およびその変形例では、レンズ１の上面（すなわち光透過領域）が、１つのフレネルレンズの一部を平坦面２０Ｃに置き換えた凹凸形状となっていた。また、上記第２の実施の形態およびその変形例では、レンズ２の上面（すなわち光透過領域）が、１つのフレネルレンズの一部を平坦面３０Ｂに置き換えた凹凸形状となっていた。しかし、例えば、図１３Ｄに示したように、レンズ１，２の上面（すなわち光透過領域）が、複数のフレネルレンズの周囲に平坦面２０Ｃ，３０Ｂが配置された凹凸形状を含んで構成されていてもよい。この場合、各凹凸構造２０Ｂ，３０Ａは、例えば、欠損の無い同心円状のフレネルレンズ形状となっている。この場合、各凹凸構造２０Ｂ，３０Ａは、本技術の「第１凹凸構造」の一具体例に相当する。なお、各凹凸構造２０Ｂ，３０Ａのうち少なくとも１つが、一部に欠損を有するフレネルレンズ形状となっていてもよい。この場合、一部に欠損を有する各凹凸構造２０Ｂ，３０Ａは、本技術の「第２凹凸構造」の一具体例に相当する。また、各凹凸構造２０Ｂ，３０Ａは、偏心フレネルレンズとなっていることが好ましい。偏心フレネルレンズは、同心円状のフレネルレンズから、同心円状のフレネルレンズの同心円中心部がレンズの端縁に接するように切り出したもの、または、同心円状のフレネルレンズから、同心円状のフレネルレンズの同心円中心部を避けて切り出したものである。なお、偏心フレネルレンズは、例えば、図２７に示したように、同心円状のフレネルレンズにおいて、同心円状のフレネルレンズの同心円中心部をレンズの端部寄りに移動させたものであってもよい。各凹凸構造２０Ｂ，３０Ａが、偏心フレネルレンズとなっている場合、各凹凸構造２０Ｂ，３０Ａは、特定の領域（例えば、レンズ１，２の光軸ＡＸが通過する狭い領域）に集光することができる。なお、この場合、各凹凸構造２０Ｂ，３０Ａは、本技術の「第１凹凸構造」の一具体例に相当する。各凹凸構造２０Ｂ，３０Ａのうち少なくとも１つが、一部に欠損を有する偏心フレネルレンズ形状となっていてもよい。この場合、一部に欠損を有する各凹凸構造２０Ｂ，３０Ａは、本技術の「第２凹凸構造」の一具体例に相当する。
【００６１】
ここで、各凹凸構造２０Ｂ，３０Ａにおいて、フレネルレンズのレンズ形状が互いに異なっていてもよい。このようにした場合には、例えば、遮光部９０でレンズ１，２を覆った状態で光学部品２０，３０を回動させ、窓９０Ａから特定の２つの凹凸構造２０Ｂまたは特定の２つの凹凸構造３０Ａが見えるようにすることにより、フレネルレンズのレンズ形状に応じた検出範囲または照明範囲に変更することができる。
【００６２】
[変形例その３] 
上記各実施の形態およびそれらの変形例では、レンズ１，２が平板形状となっている場合が例示されていた。しかし、上記各実施の形態およびそれらの変形例において、レンズ１，２が折れ曲がっていたり、レンズ１，２の全体または一部が湾曲していたりしていてもよい。例えば、レンズ１，２において、レンズ１，２の外縁部分の法線が、レンズ１，２の中央部分の法線と斜めに交差している。このとき、レンズ１，２全体が、レンズ１，２の上面側に突出した凸形状となっている。
【００６３】
また、上記第１の実施の形態およびその変形例において、例えば、平坦面２０Ｃの代わりに、表面に凹凸の無い湾曲面が形成されるとともに、レンズ１全体が、レンズ１の上面側に突出した凸形状となっていてもよい。このとき、レンズ１において、凹凸構造２０Ｂの形成されている部分および表面に凹凸の無い湾曲面の形成されている部分を含む、レンズ１の外縁部分の法線が、レンズ１の中央部分の法線と斜めに交差している。
【００６４】
また、上記第２の実施の形態およびその変形例において、例えば、平坦面３０Ｂの代わりに、表面に凹凸の無い湾曲面が形成されるとともに、レンズ２全体が、レンズ２の上面側に突出した凸形状となっていてもよい。このとき、レンズ２において、凹凸構造３０Ａの外縁の形成されている部分および表面に凹凸の無い湾曲面の形成されている部分を含む、レンズ２の外縁部分の法線が、レンズ２の中央部分の法線と斜めに交差している。
【００６５】
本変形例において、レンズ１，２全体が、レンズ１，２の上面側に突出した凸形状となっている場合には、レンズ１，２の外縁部分の折れ曲がりの程度、または、レンズ１，２の外縁部分の湾曲の程度に応じて、光検出素子による検出範囲または光源ＬＳによる照明範囲を広げることができる。
【００６６】
[変形例その４] 
上記各実施の形態およびそれらの変形例では、平坦面２０Ｃ，３０Ｂは、レンズ１，２の光透過領域に形成されていたが、レンズ１，２の遮光領域に形成されていてもよい。レンズ１，２の遮光領域は、レンズ１，２の光透過領域に隣接して形成されている。例えば、各平坦面２０Ｃの全体、または一部の層が遮光部材で構成されている。また、例えば、各平坦面３０Ｂの全体、または一部の層が遮光部材で構成されている。遮光部材は、例えば、光吸収材を含む樹脂層で構成されている。
【００６７】
本変形例では、各凹凸構造２０Ｂ，３０Ａが、レンズ１，２の光透過領域に形成され、平坦面２０Ｃ，３０Ｂがレンズ１，２の遮光領域に形成されている。そのため、上記各実施の形態およびそれらの変形例と同様に、簡易な構成で、光検出素子による検出範囲または光源ＬＳによる照明範囲を変えることができる。
【００６８】
[変形例その５] 
上記変形例その４において、レンズ１，２の遮光領域が、凹凸構造２０Ｂ，３０Ａと連続する凹凸形状が形成された凹凸構造（第３凹凸構造）を有していてもよい。第３凹凸構造は、フレネルレンズの一部の形状となっている。
【００６９】
図１４Ａ，図１４Ｂ，図１４Ｃは、本変形例に係るレンズ１，２の上面構成の一例を表したものである。図１４Ａは、図１３Ａの上面構成の一変形例を表したものである。図１４Ｂは、図１３Ｂの上面構成の一変形例を表したものである。図１４Ｃは、図１３Ｃの上面構成の一変形例を表したものである。図１５Ａ，図１５Ｂは、図１４Ａ，図１４Ｂ，図１４Ｃに記載のレンズ１のＡ−Ａ’線での断面構成の一例を表したものである。図１５Ａは、光学部品１０の中心部分がフレネルレンズの中心部分の形状となっているときの断面構成の一例を表したものである。図１５Ｂは、光学部品１０の中心部分の上面が平坦面となっているときの断面構成の一例を表したものである。図１６は、図１４Ａ，図１４Ｂ，図１４Ｃに記載のレンズ２のＡ−Ａ’線での断面構成の一例を表したものである。図１６は、光学部品３０の中心部分がフレネルレンズの中心部分の形状となっているときの断面構成の一例を表したものである。
【００７０】
例えば、図１４Ａ，図１４Ｂ，図１４Ｃ，図１５Ａ，図１５Ｂに示したように、レンズ１の遮光領域において、光学部材２０が、光透過領域に形成された凹凸構造２０Ｂと連続する凹凸形状が形成された凹凸構造２０Ｆを有しており、凹凸構造２０Ｆの上面に接する遮光部材２０Ｅを有している。遮光部材２０Ｅは、例えば、光吸収材を含む樹脂層で構成されており、凹凸構造２０Ｆの上面に固定されている。光学部材２０は、例えば、１つのフレネルレンズの外縁部分（具体的には１つのフレネルレンズにおける環形状の凹凸部分）を有しており、その外縁部分の一部を被覆する遮光部材２０Ｅを有している。遮光部材２０Ｅは、例えば、光学部材２０を光学部材２０の法線方向から見たときに、１つのフレネルレンズにおける環形状の凹凸部分を分断するような態様で、フレネルレンズの外縁部分を部分的に被覆している。なお、レンズ１の遮光領域において、光学部材２０が、レンズ１の遮光領域に凹凸構造２０Ｆを有しており、凹凸構造２０Ｆの裏面に接する遮光部材２０Ｅを有していてもよい。この場合、光学部材２０は、例えば、上面に１つのフレネルレンズの外縁部分を有し、裏面のうち、上面のフレネルレンズの外縁部分の一部と対向する部分に接する遮光部材２０Ｅを有している。
【００７１】
また、例えば、図１４Ａ，図１４Ｂ，図１４Ｃ，図１６に示したように、レンズ２の遮光領域において、光学部材３０が、光透過領域に形成された凹凸構造３０Ａと連続する凹凸形状が形成された凹凸構造３０Ｅを有しており、凹凸構造３０Ｅの上面に接する遮光部材３０Ｄを有している。遮光部材３０Ｄは、例えば、光吸収材を含む樹脂層で構成されており、凹凸構造３０Ｅの上面に固定されている。光学部材３０は、例えば、欠損のない１つのフレネルレンズを有しており、そのフレネルレンズの外縁部分の一部を被覆する遮光部材３０Ｄを有している。遮光部材３０Ｄは、例えば、光学部材３０を光学部材３０の法線方向から見たときに、１つのフレネルレンズにおける環形状の凹凸部分を分断するような態様で、フレネルレンズの外縁部分を部分的に被覆している。なお、レンズ２の遮光領域において、光学部材３０が、レンズ２の遮光領域に凹凸構造３０Ｅを有しており、凹凸構造３０Ｅの裏面に接する遮光部材３０Ｄを有していてもよい。この場合、光学部材３０は、例えば、上面に１つのフレネルレンズを有し、裏面のうち、上面のフレネルレンズの外縁部分の一部と対向する部分に接する遮光部材３０Ｄを有している。
【００７２】
本変形例では、各凹凸構造２０Ｂ，３０Ａが、レンズ１，２の光透過領域に形成され、各凹凸構造２０Ｆ，３０Ｅが、レンズ１，２の遮光領域に形成され、遮光部材２０Ｅ，３０Ｄがレンズ１，２の遮光領域に形成されている。そのため、上記各実施の形態およびそれらの変形例と同様に、簡易な構成で、光検出素子による検出範囲または光源ＬＳによる照明範囲を変えることができる。
【００７３】
[変形例その６] 
上記各実施の形態およびそれらの変形例では、凸部１０Ａ、凹凸構造２０Ｂ、凹凸構造３０Ａ、凹凸構造２０Ｆ、凹凸構造３０Ｅとして、同心円状のフレネルレンズが用いられていたが、偏心フレネルレンズが用いられてもよい。この場合、上記各実施の形態およびそれらの変形例の記載において、「同心円状のフレネルレンズ」を、「偏心フレネルレンズ」と読み替えればよい。なお、偏心フレネルレンズの中心部分は、レンズ１，２の中心部分を指すものとする。また、同心円状のフレネルレンズの定義『同心円状のフレネルレンズは、通常のレンズを同心円状の領域に分割し厚みを減らしたレンズであり、のこぎり状の断面を持つ。』については、以下の文章に置き換えるものとする。『偏心フレネルレンズは、同心円状のフレネルレンズから、同心円状のフレネルレンズの同心円中心部がレンズの端縁に接するように切り出したもの、または、同心円状のフレネルレンズから、同心円状のフレネルレンズの同心円中心部を避けて切り出したものである。なお、偏心フレネルレンズは、同心円状のフレネルレンズにおいて、例えば、図２７に示したように、同心円状のフレネルレンズの同心円中心部をレンズの端部寄りに移動させたものであってもよい。』
【００７４】
また、本変形例において、光学部品３０の回転軸が、光学部品３０の焦点Ｆ２を通らない位置となっているときには、光学部品３０の回転に伴い、焦点Ｆ２の位置が回動する。例えば、光学部品３０の回転軸上に光源ＬＳを配置し、その光源ＬＳから光学部品３０に対して光を照射しつつ、光学部品３０を回転させた場合には、光源ＬＳによる照明範囲、または輝度の高い位置が光学部品３０の回転軸を回転中心として回転する。従って、このようにした場合にも、上記各実施の形態およびそれらの変形例と同様に、簡易な構成で、光源ＬＳによる照明範囲または輝度の高い位置を変えることができる。
【００７５】
＜５．第３の実施の形態＞
[構成]
図１７は、本発明の第３の実施の形態に係るレンズ３の斜視構成の一例を表したものである。レンズ３は、複合レンズであり、例えば、互いに可動に組み合わされた板状の複数の光学部品４１を備えている。複数の光学部品４１は、互いに固定されておらず、互いに可動な状態で、行列状に配置されている。具体的には、各光学部品４１は、隣接する他の光学部品４１と互いに固定されずに接している。従って、各光学部品４１の中心軸は、互いに平行となっている。さらに、各光学部品４１は、レンズ３の光軸と直交する面内において移動可能になっている。各光学部品４１の移動としては、例えば、光学部品４１をレンズ３の光軸と直交する面内においてスライドさせたり、または、光学部品４１を一旦、レンズ３から取り外して、レンズ３内の別の場所に配置し直したりすることが挙げられる。各光学部品４１は、レンズ３の光透過領域に形成されている。レンズ３は、利用する光の波長帯において光の吸収が少ない材料で構成されていることが好ましい。利用する光が赤外光の場合、レンズ３は、赤外光の吸収が少ない材料で構成されている。赤外光の吸収が少ない材料としては、例えば、Ｇｅ、Ｓｉ、Ａｌ2Ｏ3、ＣａＦ2、ポリエチレン系樹脂などが挙げられる。利用する光が可視光の場合、レンズ３は、可視光の吸収が少ない材料で構成されている。
【００７６】
光学部品４１は、ブロック状の部品である。レンズ３に用いられた複数の光学部品４１では、一部の光学部品４１が上面に凹凸構造４２を有し、残りの光学部品４１が上面に平坦面４３を有している。各光学部品４１において、裏面は平坦面となっている。各光学部品４１において、凹凸構造４２は、リニアフレネルレンズとなっている。リニアフレネルレンズは、シリンドリカルレンズの全体または一部を帯状の領域に分割し厚みを減らしたレンズであり、のこぎり状の断面を持つ。レンズ３において、各凹凸構造４２のリニアフレネルレンズに形成された溝は、例えば、互いに同一の方向に延在している。
【００７７】
例えば、９個の光学部品４１が３ｘ３の行例で配置されている。このとき、上面に凹凸構造４２が設けられた７つの光学部品４１が、例えば、Ｈ字状に配置されており、上面に平坦面４３が設けられた２つの光学部品４１が、例えば、残りの２箇所に１つずつ配置されている。
【００７８】
[作用・効果] 
次に、本実施の形態のレンズ３の作用・効果について説明する。
【００７９】
図１８、図１９は、レンズ３の作用の一例を表したものである。図１８、図１９において、凹凸構造４２および平坦面４３が、ともに、光入射面に配置されていてもよいし、光出射面に配置されていてもよい。図１８には、リニアフレネルレンズの溝と直交する方向に並んだ３個の凹凸構造４２に光Ｌが入射している様子が例示されている。図１９には、１個の凹凸構造４２と、その凹凸構造４２の両脇に設けられた２つの平坦面４３とに光Ｌが入射している様子が例示されている。図１８、図１９において、リニアフレネルレンズに形成された溝は、紙面に垂直な方向に延在している。
【００８０】
レンズ３に入射した光Ｌは、各凹凸構造４２によって、例えば、互いに共通の面（集光面Ｓ）内に集光される。リニアフレネルレンズの溝と直交する方向に並んだ各凹凸構造４２の焦点Ｆ３は、例えば、互いに重なり合っている。一方、平坦面４３に入射した光Ｌは、集光されることなく、平坦面４３を透過する。各焦点Ｆ３の位置に光検出素子を配置した場合には、光検出素子は、各凹凸構造４２を透過した光Ｌを検出する。さらに、光検出素子が、平坦面４３を透過した光Ｌが入射しない位置に配置されている場合には、光検出素子は、平坦面４３を透過した光Ｌを検出しない。その結果、リニアフレネルレンズの溝と直交する方向に並んだ３つの凹凸構造４２に入射する光を発し得る領域（第９領域）と、１個の凹凸構造４２と、その凹凸構造４２の両脇に設けられた２つの平坦面４３とに入射する光を発し得る領域（第１０領域）とで、光検出素子による検出力に差異が生じる。なお、場合によっては、平坦面４３を透過した光Ｌの一部が光検出素子に入射しても構わない。
【００８１】
例えば、面内に配置された複数の光学部品４１のうち、少なくとも２つの光学部品４１の位置を入れ替えることにより、レンズ３の光透過領域に形成された凹凸のレイアウトが変化し得る。その結果、上記第９領域および上記第１０領域の位置が変位し得る。このように、レンズ３では、例えば、面内に配置された複数の光学部品４１のうち、少なくとも２つの光学部品４１の位置を入れ替えるだけで、上記第９領域および上記第１０領域の位置を変えることができる。従って、簡易な構成で、光検出素子の検出範囲を変えることができる。
【００８２】
図２０、図２１は、レンズ３の作用の一例を表したものである。図２０、図２１において、凹凸構造４２および平坦面４３が、ともに、光入射面に配置されていてもよいし、光出射面に配置されていてもよい。図２０には、リニアフレネルレンズの溝と直交する方向に並んだ３個の凹凸構造４２に、光源ＬＳから発せられた光が入射している様子が例示されている。図２１には、１個の凹凸構造４２と、その凹凸構造４２の両脇に設けられた２つの平坦面４３とに、光源ＬＳから発せられた光が入射している様子が例示されている。図２０、図２１において、リニアフレネルレンズに形成された溝は、紙面に垂直な方向に延在している。
【００８３】
凹凸構造４２は、例えば、光源ＬＳから入射してきた拡散光の発散角を絞ったり、または、光源ＬＳから入射してきた拡散光を平行光化したりする。一方、平坦面４３に入射した光Ｌは、集光されることなく、平坦面４３を透過する。レンズ３を透過した光Ｌが進行する位置にスクリーンを配置した場合には、例えば、リニアフレネルレンズの溝と直交する方向に並んだ３つの凹凸構造４２を透過した光Ｌがスクリーンを照明する領域（第１１領域）と、１個の凹凸構造４２と、その凹凸構造４２の両脇に設けられた２つの平坦面４３とを透過した光Ｌがスクリーンを照明する領域（第１２領域）とで、光源ＬＳによる照明範囲に差異が生じる。
【００８４】
例えば、面内に配置された複数の光学部品４１のうち、少なくとも２つの光学部品４１の位置を入れ替えた場合には、光学部品４１を入れ替えた分だけ、レンズ３の光透過領域に形成された凹凸のレイアウトが変化する。その結果、上記第１１領域および上記第１２領域の位置が変位する。このように、レンズ３では、面内に配置された複数の光学部品４１のうち、少なくとも２つの光学部品４１の位置を入れ替えるだけで、上記第１１領域および上記第１２領域の位置を変えることができる。なお、レンズ３の光透過領域に形成された凹凸のレイアウトを変化させる際に、レンズ交換をする必要はない。従って、簡易な構成で、光源ＬＳによる照明範囲を変えることができる。
【００８５】
＜６．第３の実施の形態の変形例＞
次に、第３の実施の形態のレンズ３の変形例について説明する。なお、以下では、第３の実施の形態のレンズ３と共通する構成要素に対しては、同一の符号が付与される。さらに、第３の実施の形態のレンズ３と共通する構成要素についての説明は、適宜、省略されるものとする。
【００８６】
[変形例その１] 
第３の実施の形態では、平坦面４３は、レンズ３の光透過領域に形成されていたが、レンズ３の遮光領域に形成されていてもよい。レンズ３の遮光領域は、レンズ３の光透過領域に隣接して形成されている。例えば、図２２Ａに示したように、各平坦面４３の全体、または一部の層が遮光部材４０Ａで構成されている。遮光部材４０Ａは、例えば、光吸収材を含む樹脂層で構成されている。
【００８７】
本変形例では、各凹凸構造４２がレンズ３の光透過領域に形成され、平坦面４３がレンズ３の遮光領域に形成されている。そのため、上記第３の実施の形態と同様に、簡易な構成で、光検出素子による検出範囲または光源ＬＳによる照明範囲を変えることができる。
【００８８】
[変形例その２] 
第３の実施の形態の変形例（変形例その１）において、例えば、図２２Ｂに示したように、レンズ３の遮光領域は、凹凸構造４２と共通する凹凸形状が形成された凹凸構造４４（第３凹凸構造）を有していてもよい。凹凸構造４４は、リニアフレネルレンズとなっている。
【００８９】
例えば、レンズ３の遮光領域において、光学部品４１が、凹凸構造４４を有しており、遮光領域の凹凸構造４４の上面に接する遮光部材４０Ａを有している。なお、レンズ３の遮光領域において、光学部品４１が凹凸構造４４を有し、凹凸構造４４の裏面に接する遮光部材４０Ａを有していてもよい。
【００９０】
本変形例では、各凹凸構造４２がレンズ３の光透過領域に形成され、各凹凸構造４４がレンズ３の遮光領域に形成され、遮光部材４０Ａがレンズ３の遮光領域に形成されている。そのため、上記第３の実施の形態と同様に、簡易な構成で、光検出素子による検出範囲または光源ＬＳによる照明範囲を変えることができる。
【００９１】
＜７．第４の実施の形態＞
[構成]
図２３は、本発明の第４の実施の形態に係るセンサ装置４の機能ブロックの一例を表したものである。センサ装置４は、上記各実施の形態およびその変形例に係るレンズ１〜３のうちの１つのレンズを用いたものである。センサ装置４は、例えば、センサモジュール４０と、制御部５０と、負荷６０とを備えている。負荷６０は、例えば、ＬＥＤや、チャイム、音声出力回路などである。なお、センサ装置４が、負荷６０を備えておらず、負荷６０がセンサ装置４に外付けするものであってもよい。この場合、負荷６０は、ＬＥＤや、チャイム、音声出力回路などであってもよいし、例えば、自動ドアなどであってもよい。
【００９２】
センサモジュール４０は、例えば、上記各実施の形態およびその変形例に係るレンズ１〜３のうちの１つのレンズ（以下、便宜的にレンズ１〜３と称する）と、センサ回路４４とを有している。なお、センサモジュール４０は、例えば、レンズ１〜３の前か後ろに、赤外光を選択的に透過するフィルタを有していてもよい。
【００９３】
センサモジュール４０は、１つのモジュール部品となっており、出力端子として、例えば、センサ回路４４の３つの出力端子を有している。センサ回路４４は、レンズ１〜３によって集光された光を電気信号に変換する。センサ回路４４は、例えば、焦電型赤外線センサなどの熱型センサＥと、熱型センサＥに並列に接続された抵抗Ｒｇと、互いに並列接続された熱型センサＥおよび抵抗Ｒｇの一端にゲートが接続されたトランジスタＦＥＴとを有している。熱型センサＥは、例えば、人体から発せられる赤外光を検出する。センサ回路４４は、さらに、例えば、互いに並列接続された熱型センサＥおよび抵抗Ｒｇの他端に接続されたＧＮＤ端子と、トランジスタＦＥＴの一端に接続された＋ＶＤＤ端子と、トランジスタＦＥＴの一端に接続されたＯＵＴ端子とを有している。ＧＮＤ端子には、グラウンド電位が印加され、＋ＶＤＤ端子には、所定の定電圧が印加される。
【００９４】
制御部５０は、センサ回路４４から出力された電気信号に基づいた制御を行う。制御部５０は、例えば、駆動回路５１と、リレー回路５２とを有している。駆動回路５１は、例えば、センサ回路４４からの出力信号を増幅するアンプと、アンプの出力と基準電圧とのレベルを比較するコンパレータと、コンパレータの出力に基づいてリレー回路５２の継断を行うリレー制御回路とを有している。リレー回路５２は、リレー制御回路からの出力に基づいて、負荷６０に流れる電流の継断を行う。
【００９５】
[効果] 
次に、本実施の形態のセンサ装置４の効果について説明する。本実施の形態のセンサ装置４では、上記各実施の形態およびその変形例に係るレンズ１〜３のうちの１つのレンズが用いられている。これにより、例えば、レンズ１，２に設けられた、つば２０Ｄ，３０Ｃを左右にスライドさせるだけで、検出範囲を変えることができる。また、例えば、レンズ３内の複数の光学部品４１の位置を入れ替えるだけで、検出範囲を変えることができる。その結果、例えば、センサ装置４を在宅介護の用途において使用する際に、例えば、つば２０Ｄ，３０Ｃを左右にスライドさせたり、レンズ３内の複数の光学部品４１の位置を入れ替えたりするだけで、ベッドや、廊下、玄関など、介護の現場ごとに適した検出範囲に設定することができる。
【００９６】
また、本実施の形態のセンサ装置４では、簡易な方法で検出範囲を変えることができることから、センサ装置４に、首振り機構を設けたり、検出範囲の広いフレネルレンズを用いたりする必要がない。そのため、センサ装置４が複雑かつ高価になることがなく、また、検出したくない範囲で人が動いたときに誤作動することも防ぐことができる。
【００９７】
＜８．第５の実施の形態＞
[構成]
図２４は、本発明の第４の実施の形態に係る照明装置５の機能ブロックの一例を表したものである。照明装置５は、上記各実施の形態およびその変形例に係るレンズ１〜３のうちの１つのレンズを用いたものである。照明装置５は、例えば、上記各実施の形態およびその変形例に係るレンズ１〜３のうちの１つのレンズ（以下、便宜的にレンズ１〜３と称する）と、光源７０とを備えている。光源７０は、レンズ１〜３に光を照射するものであり、例えば、電球やＬＥＤなどの点光源を含んで構成されている。光源７０から発せられる光の波長帯は、可視領域であってもよいし、赤外領域であってもよい。照明装置５は、さらに、例えば、光源７０に電力を供給する電源や、光源７０の発光を制御する制御回路などを備えていてもよい。
【００９８】
[効果] 
次に、本実施の形態の照明装置５の効果について説明する。本実施の形態の照明装置５では、上記各実施の形態およびその変形例に係るレンズ１〜３のうちの１つのレンズが用いられている。これにより、例えば、レンズ１，２に設けられた、つば２０Ｄ，３０Ｃを左右にスライドさせるだけで、照明範囲を変えることができる。また、例えば、レンズ３内の複数の光学部品４１を入れ替えるだけで、照明範囲を変えることができる。その結果、例えば、照明装置５をエンターテイメントの用途において使用する際に、例えば、つば２０Ｄ，３０Ｃを左右にスライドさせたり、レンズ３内の複数の光学部品４１を入れ替えたりするだけで、エンターテイメントの現場ごとに適した照明範囲に設定することができる。
【００９９】
また、本実施の形態の照明装置５では、簡易な方法で照明範囲を変えることができることから、照明装置５に、首振り機構を設けたり、レンズ交換用のレンズを用意したりする必要がない。そのため、照明装置５が複雑かつ高価になることがない。
【０１００】
＜９．第４および第５の実施の形態の変形例＞
次に、センサ装置４または照明装置５の変形例について説明する。なお、以下では、センサ装置４または照明装置５と共通する構成要素に対しては、同一の符号が付与される。さらに、センサ装置４または照明装置５と共通する構成要素についての説明は、適宜、省略されるものとする。
【０１０１】
センサ装置４または照明装置５において、上記第１および第２の実施の形態およびそれらの変形例に係るレンズ１，２（以下、便宜的にレンズ１，２と称する）が、例えば、図２５に示したような遮光部９０によって覆われていてもよい。遮光部９０は、レンズ１，２の光透過領域に形成された凹凸の一部分に光入射を可能にする窓９０Ａを有している。遮光部９０は、さらに、レンズ１，２に設けられた、つば２０Ｄ，３０Ｃを左右にスライドさせることを可能にするスリット７０Ｂを有している。
【０１０２】
窓９０Ａは、開口を有しており、その開口が、例えば、赤外光または可視光を透過するフィルタで覆われている。窓９０Ａの開口の形状は、例えば、長方形状、正方形状、楕円形状、または、星型状となっている。窓９０Ａの開口の形状および大きさは、レンズ１，２の平坦面２０Ｃ，３０Ｂまたは遮光部材２０Ｅ，３０Ｄの形状および大きさに対応していてもよい。遮光部９０が、１つの窓９０Ａだけ有していてもよいし、複数の窓９０Ａを有していてもよい。
【０１０３】
センサ装置４において、上述の遮光部９０を設けることにより、レンズ１，２に光が入射する領域を制限したり、レンズ１，２を透過した光の一部を遮断したりすることができる。これにより、検出したくない範囲をあらかじめ遮光部９０によって規定したり、レンズ１，２を移動（回動）させることにより、検出したくない範囲を移動（回動）させたりすることができる。
【０１０４】
また、センサ装置４において、窓９０Ａの開口の形状および大きさを、レンズ１，２の平坦面２０Ｃ，３０Ｂまたは遮光部材２０Ｅ，３０Ｄの形状および大きさに対応させた場合には、つば２０Ｄ，３０Ｃを左右にスライドさせたときに、検出範囲を劇的に変えることも可能となる。
【０１０５】
照明装置５において、上述の遮光部９０を設けることにより、レンズ１，２に光源７０からの光が入射する領域を制限したり、レンズ１，２を透過した光の一部を遮断したりすることができる。これにより、照明したくない範囲をあらかじめ遮光部９０によって規定したり、レンズ１，２を移動（回動）させることにより、照明したくない範囲を移動（回動）させたりすることができる。
【０１０６】
また、照明装置５において、窓９０Ａの開口の形状および大きさを、レンズ１，２の平坦面２０Ｃ，３０Ｂまたは遮光部材２０Ｅ，３０Ｄの形状および大きさに対応させた場合には、つば２０Ｄ，３０Ｃを左右にスライドさせたときに、照明範囲を劇的に変えることも可能となる。
【０１０７】
図２６Ａ，図２６Ｂ，図２６Ｃ，図２６Ｄは、つば２０Ｄ，３０Ｃを左右にスライドさせたときの、レンズ１，２と、窓９０Ａとの位置関係の一例を表したものである。例えば、図２６Ａ，図２６Ｂ，図２６Ｃ，図２６Ｄにおいて、窓９０Ａを、窓９０Ａの長手方向が水平方向となるように配置した場合、窓９０Ａからは、レンズ１，２の中央部分と、その両脇に１つずつ形成された２つの平坦面２０Ｃ（または２つの平坦面３０Ｂ）が見えている。この状態を“状態その１”と称する。状態その１から、つば２０Ｄ，３０Ｃを時計まわりに９０度回転させる。すると、窓９０Ａからは、レンズ１，２の中央部分と、その両脇に１つずつ形成された２つの凹凸構造２０Ｂ（または２つの凹凸構造３０Ａ）が見えるようになる。この状態を“状態その２”と称する。なお、図２６Ａ，図２６Ｂ，図２６Ｃ，図２６Ｄでは、便宜的に、窓９０Ａが９０度回転している様子が記載されているが、実際には、光学部品２０，３０が回転しており、窓９０Ａは固定されている。
【０１０８】
状態その１では、レンズ１，２の中央部分に入射する外光を発し得る領域が、検出範囲となる。一方、状態その２では、レンズ１，２の中央部分の凸部に入射する外光を発し得る領域と、２つの凹凸構造２０Ｂ（または２つの凹凸構造３０Ａ）に入射する外光を発し得る領域とが、検出範囲となる。従って、つば２０Ｄ，３０Ｃをスライドさせることで、検出範囲を変化させることができる。
【０１０９】
また、状態その１では、光源ＬＳから発せられた光の発散角がレンズ１，２の中央部分の凸部によって狭められた光が到達し得る領域と、光源ＬＳから発せられた光が２つの平坦面２０Ｃ（または２つの平坦面３０Ｂ）を透過した光が到達し得る領域とが、照明範囲となる。一方、状態その２では、光源ＬＳから発せられた光の発散角がレンズ１，２の中央部分の凸部によって狭められた光が到達し得る領域と、光源ＬＳから発せられた光の発散角が２つの凹凸構造２０Ｂ（または２つの凹凸構造３０Ａ）によって狭められた光が到達し得る領域とが、照明範囲となる。従って、つば２０Ｄ，３０Ｃをスライドさせることで、照明範囲を変化させることができる。
【０１１０】
なお、図２６Ｄには、状態その１から、つば２０Ｄ，３０Ｃを時計まわりに、４５度回転させたときの、レンズ１，２と、窓９０Ａとの位置関係の一例が示されている。さらに、図２６Ｄには、状態その１から、つば２０Ｄ，３０Ｃを反時計まわりに、４５度回転させたときの、レンズ１，２と、窓９０Ａとの位置関係の一例も示されている。図２６Ｄにおいて、上側の３つの凹凸構造２０Ｂ（または３つの凹凸構造３０Ａ）が、それぞれ、種類の互いに異なるフレネルレンズ形状となっているとする。さらに、下側の３つの凹凸構造２０Ｂ（または３つの凹凸構造３０Ａ）が、レンズ１，２の中央部分を介して対向する上側の凹凸構造２０Ｂ（または凹凸構造３０Ａ）と同種のフレネルレンズ形状となっているとする。このとき、状態その１から、つば２０Ｄ，３０Ｃを時計まわりに、４５度、または９０度回転させたり、つば２０Ｄ，３０Ｃを反時計まわりに、４５度回転させたりすることにより、窓９０Ａに見えるフレネルレンズ形状の種類が変わる。従って、図２６Ｄにおいて、つば２０Ｄ，３０Ｃをスライドさせることで、検出範囲や照明範囲を多段階に変化させることができる。
【０１１１】
なお、上記変形例において、つば３０Ｃをスライドさせる代わりに、遮光部９０（または窓９０Ａ）を回転させてもよい。この場合には、つば３０Ｃを省略することができる。
【０１１２】
また、上記変形例において、つば２０Ｄ，３０Ｃのスライドや、遮光部９０（または窓９０Ａ）の回転を手動で行う代わりに、自動で行ってもよい。例えば、光学部品２０または光学部品３０の側面、上面端縁または裏面端縁に、凹凸を設け、その凹凸と噛み合う歯車をモータ等で回転させることにより、光学部品２０または光学部品３０を回転させることができる。同様に、例えば、遮光部９０に凹凸を設け、その凹凸と噛み合う歯車をモータ等で回転させることにより、遮光部９０を回転させることができる。
【０１１３】
光学部品２０、光学部品３０または遮光部９０の側面に凹凸を設ける場合には、側面の凹凸は、側面の周回方向にらせん状に溝が切られたものや、側面の上下方向に直線状に溝が切られたものであってもよい。側面の凹凸が側面の周回方向にらせん状に溝が切られたものである場合、その凹凸と噛み合う歯車をモータ等で側面の上下方向に回転させることにより、光学部品２０、光学部品３０または遮光部９０を回転させることができる。側面の凹凸が側面の上下方向に直線状に溝が切られたものである場合、その凹凸と噛み合う歯車をモータ等で側面の周回方向に回転させることにより、光学部品２０、光学部品３０または遮光部９０を回転させることができる。
【０１１４】
また、例えば、光学部品２０、光学部品３０または遮光部９０に接するタイヤを設け、そのタイヤをモータ等で回転させ、タイヤによる摩擦を利用して、光学部品２０、光学部品３０または遮光部９０を回転させることができる。
【符号の説明】
【０１１５】
１，２，３…レンズ、１Ａ，３Ａ…光入射面、１Ｂ，３Ｂ…光出射面、４…センサ装置、５…照明装置、１０，２０，３０，４１…光学部品、１０Ａ…凸部、１０Ｂ…支持板、２０Ａ…開口、２０Ｂ，２０Ｆ，３０Ａ，３０Ｅ，４２…凹凸構造、２０Ｃ，３０Ｂ，４３…平坦面、２０Ｄ，３０Ｃ…つば、２０Ｅ，３０Ｄ，４０Ａ…遮光部材、４０…センサモジュール、４４…センサ回路、５０…制御部、５１，５２…リレー回路、６０…負荷、７０…光源、９０…遮光部、９０Ａ…窓、９０Ｂ…スリット、ＡＸ…光軸、Ｆ１，Ｆ２，Ｆ３…焦点、Ｌ…光、Ｌｂ１，Ｌｂ２…境界線、ＬＳ…光源、Ｓ…集光面。
【図１】
2015148792.tif 000003
【図２Ａ】
2015148792.tif 000004
【図２Ｂ】
2015148792.tif 000005
【図３】
2015148792.tif 000006
【図４】
2015148792.tif 000007
【図５】
2015148792.tif 000008
【図６】
2015148792.tif 000009
【図７】
2015148792.tif 000010
【図８】
2015148792.tif 000011
【図９】
2015148792.tif 000012
【図１０】
2015148792.tif 000013
【図１１】
2015148792.tif 000014
【図１２】
2015148792.tif 000015
【図１３Ａ】
2015148792.tif 000016
【図１３Ｂ】
2015148792.tif 000017
【図１３Ｃ】
2015148792.tif 000018
【図１３Ｄ】
2015148792.tif 000019
【図１４Ａ】
2015148792.tif 000020
【図１４Ｂ】
2015148792.tif 000021
【図１４Ｃ】
2015148792.tif 000022
【図１５Ａ】
2015148792.tif 000023
【図１５Ｂ】
2015148792.tif 000024
【図１６】
2015148792.tif 000025
【図１７】
2015148792.tif 000026
【図１８】
2015148792.tif 000027
【図１９】
2015148792.tif 000028
【図２０】
2015148792.tif 000029
【図２１】
2015148792.tif 000030
【図２２Ａ】
2015148792.tif 000031
【図２２Ｂ】
2015148792.tif 000032
【図２３】
2015148792.tif 000033
【図２４】
2015148792.tif 000034
【図２５】
2015148792.tif 000035
【図２６Ａ】
2015148792.tif 000036
【図２６Ｂ】
2015148792.tif 000037
【図２６Ｃ】
2015148792.tif 000038
【図２６Ｄ】
2015148792.tif 000039
【図２７】
2015148792.tif 000040